(57)【要約】【課題】液体包装用容器の注出口栓であって容器内へのダスト（塵埃）浸入、付着防止の機能及び内容物流路を正確に方向付けするための補助治具としての機能とともに注出口栓の開封性や再封性や利便性及び美粧性等の機能を併せ持つ液体容器用口栓を提供する。【解決手段】側壁１ａから形成される枠体１と、該枠体１の下端内周に沿って所定幅に張り出して設けた底デッキ部２内周の一辺に支持されたヒンジ５を介して開閉可能に、前記枠体１上端以下の低位置に水平に設けた爪板７と、前記枠体１の前記ヒンジ５と平行な１つの側壁外面の中位部に設けたヒンジ９を介して開閉可能に設けられ、天板１１と前記枠体１の各々側壁１ａ上端外面に嵌合して施蓋する側壁１２とから形成される蓋部１０と該蓋部１０の内面に立設する押し板１４とからなり、前記枠体１の下面が容器２０の表面に開口部２１に設けた開封用の易切り破りシート２２に整合させて取り付けられている。【選択図】図１
2006008179.tif 000002
【特許請求の範囲】
【請求項１】
側壁１ａから形成される枠体１と、該枠体１の下端内周に沿って所定幅に張り出して設けた底デッキ部２と、該底デッキ部２内周の一辺に支持されたヒンジ５を介して開閉可能に前記枠体１上端以下の低位置に水平に設けた爪板７と、前記枠体１の前記ヒンジ５と平行な１つの側壁外面の中位部に設けたヒンジ９を介して開閉可能に設けられ、天板１１と前記枠体１の各々側壁１ａ上端外面に嵌合して施蓋する側壁１２とから形成される蓋部１０と、該蓋部１０の内面に立設する押し板１４とからなり、前記枠体１の下面が液体包装容器２０の表面に前記爪板７を該容器２０の開口部２１に設けた開封用の易切り破りシート２２に整合させて取り付けられていることを特徴とする液体包装容器用口栓。
【請求項２】
側壁１ａから形成される枠体１と、該枠体１の下端内周に沿って所定幅に張り出して設けた底デッキ部２と、該底デッキ部２内周の一辺に支持されたヒンジ５を介して開閉可能に前記枠体１上端以下の低位置に水平に設けた爪板７と、前記枠体１の前記ヒンジ５と平行な１つの側壁外面の中位部に設けたヒンジ９を介して開閉可能に設けられ、天板１１と前記枠体１の各々側壁１ａ上端外面に嵌合して施蓋する側壁１２とから形成される蓋部１０と、該蓋部１０の内面にヒンジ１３を介して起立姿勢と水平姿勢とに姿勢変換可能に立設する押し板１４とからなり、前記枠体１の下面が液体包装容器２０の表面に前記爪板７を該容器２０の開口部２１に設けた開封用の易切り破りシート２２に整合させて取り付けられていることを特徴とする液体包装容器用口栓。
【請求項３】
筒状側壁１ａから形成される枠体１と、該枠体１の下端内周にヒンジ５を介して開閉可能に前記枠体１上端以下の低位置に水平に設けた爪板７と、前記枠体１の筒状側壁１ａ外周面の前記ヒンジ５近傍に延設した連結バンド１５を介して開閉可能に設けられ、天板１１と前記枠体１の各々筒状側壁１ａ上端外面に嵌合して施蓋する筒状側壁１２と、該筒状側壁１２の上端にハーフカット１６を介して切り離し可能に設けた補助リング１７とから形成される蓋部１０と、該蓋部１０の内面に立設する押し板１４とからなり、前記枠体１の下面が液体包装容器２０の表面に前記爪板７を該容器２０の開口部２１に設けた開封用の易切り破りシート２２に整合させて取り付けられていることを特徴とする液体包装容器用口栓。
【請求項４】
前記枠体１の下端内周の一部に所定幅に張り出して設けた底デッキ部２を介して、前記ヒンジ５が設けられていることを特徴とする請求項３記載の液体包装容器用口栓。
【発明の詳細な説明】
【技術分野】
【０００１】
本発明は、牛乳、ジュース等の飲料や液状食品、あるいは液状非食品を充填包装する紙パック等の液体包装用紙容器をはじめとして、各種のプラスチック容器等の液体包装容器の注出口として取り付けるための液体包装容器用口栓に関する。
【背景技術】
【０００２】
主に牛乳、ジュース等の飲料をはじめとする液状食品等の液状内容物向けの液体紙容器（例えば、ＥＰ−ＰＡＫ、ＧＴ−ＰＡＫ）については、近年、液状内容物の充填機が高速度化しており、特に、液体包装用紙容器類の充填包装機として高速充填性のあるロールアセプ充填機等の充填機による容器への注出口栓（注出口部と該注出口部に螺着したキャップ部）の付け方にも、その口栓の外付け接着における接着剤であるホットメルトを用いた接着技術の上で、特に、口栓の取付けにおけるローコスト化に加え、口栓としての開け易さや再封性など高機能性や利便性、また、美粧性等を機能として持つことが必要となってきている。
【０００３】
また、一般的に容器に取付けるための注出口栓類としては、容器内へのダスト（塵埃）の浸入、付着を防止するための機能と構造を持っていること、及び口栓を取り付けた後の容器からの液状内容物の流路を正確に方向付けするための補助治具としての機能と構造を持っていることが必要である。
【０００４】
このように液体包装用容器の注出口栓類として、その開け易さや再封性など高機能性や利便性、美粧性等を機能として持ち、及び容器内へのダスト（塵埃）浸入、付着防止の機能性や内容物流路を正確に方向付けするための補助治具としての機能を達成することを目的とした注出口栓類に関する技術としては、例えば、実開平７−２２９２１号がある。
【０００５】
以下に、公知の特許文献を記載する。
【特許文献１】実開平７−２２９２１号
【発明の開示】
【発明が解決しようとする課題】
【０００６】
本発明は、液体包装用容器の注出口栓類であって、容器内へのダスト（塵埃）浸入、付着防止の機能、及び内容物流路を正確に方向付けするための補助治具としての機能とともに、注出口栓の開封性や再封性や利便性及び美粧性等の機能を併せ持つ液体容器用口栓を提供することにある。
【課題を解決するための手段】
【０００７】
本発明の請求項１に係る発明は、側壁１ａから形成される枠体１と、該枠体１の下端内周に沿って所定幅に張り出して設けた底デッキ部２と、該底デッキ部２内周の一辺に支持されたヒンジ５を介して開閉可能に前記枠体１上端以下の低位置に水平に設けた爪板７と、前記枠体１の前記ヒンジ５と平行な１つの側壁外面の中位部に設けたヒンジ９を介して開閉可能に設けられ、天板１１と前記枠体１の各々側壁１ａ上端外面に嵌合して施蓋する側壁１２とから形成される蓋部１０と、該蓋部１０の内面に立設する押し板１４とからなり、前記枠体１の下面が液体包装容器２０の表面に前記爪板７を該容器２０の開口部２１に設けた開封用の易切り破りシート２２に整合させて取り付けられていることを特徴とする液体包装容器用口栓である。
【０００８】
本発明の請求項２に係る発明は、側壁１ａから形成される枠体１と、該枠体１の下端内周に沿って所定幅に張り出して設けた底デッキ部２と、該底デッキ部２内周の一辺に支持されたヒンジ５を介して開閉可能に前記枠体１上端以下の低位置に水平に設けた爪板７と、前記枠体１の前記ヒンジ５と平行な１つの側壁外面の中位部に設けたヒンジ９を介して開閉可能に設けられ、天板１１と前記枠体１の各々側壁１ａ上端外面に嵌合して施蓋する側壁１２とから形成される蓋部１０と、該蓋部１０の内面にヒンジ１３を介して起立姿勢と水平姿勢とに姿勢変換可能に立設する押し板１４とからなり、前記枠体１の下面が液体包装容器２０の表面に前記爪板７を該容器２０の開口部２１に設けた開封用の易切り破りシート２２に整合させて取り付けられていることを特徴とする液体包装容器用口栓である。
【０００９】
本発明の請求項３に係る発明は、筒状側壁１ａから形成される枠体１と、該枠体１の下端内周にヒンジ５を介して開閉可能に前記枠体１上端以下の低位置に水平に設けた爪板７と、前記枠体１の筒状側壁１ａ外周面の前記ヒンジ５近傍に延設した連結バンド１５を介して開閉可能に設けられ、天板１１と前記枠体１の各々筒状側壁１ａ上端外面に嵌合して施蓋する筒状側壁１２と、該筒状側壁１２の上端にハーフカット１６を介して切り離し可能に設けた補助リング１７とから形成される蓋部１０と、該蓋部１０の内面に立設する押し板１４とからなり、前記枠体１の下面が液体包装容器２０の表面に前記爪板７を該容器２０の開口部２１に設けた開封用の易切り破りシート２２に整合させて取り付けられていることを特徴とする液体包装容器用口栓である。
【００１０】
本発明の請求項４に係る発明は、上記請求項３に係る液体包装容器用口栓において、前記枠体１の下端内周の一部に所定幅に張り出して設けた底デッキ部２を介して前記ヒンジ５が設けられていることを特徴とする液体包装容器用口栓である。
【発明の効果】
【００１１】
本発明の請求項１に係る液体包装容器用口栓は、図１に示すように、側壁１ａから形成される枠体１と、該枠体１の下端内周に沿って所定幅に張り出して設けた底デッキ部２と、該底デッキ部２内周の一辺に支持されたヒンジ５を介して開閉可能に前記枠体１上端以下の低位置に水平に設けた爪板７と、前記枠体１の前記ヒンジ５と平行な１つの側壁外面の中位部に設けたヒンジ９を介して開閉可能に設けられ、天板１１と前記枠体１の各々側壁１ａ上端外面に嵌合して施蓋する側壁１２とから形成される蓋部１０と、該蓋部１０の内面に立設する押し板１４とからなる液体包装容器用口栓であり、図３に示すように、前記枠体１の下面が液体包装容器２０の表面に前記爪板７を、該容器２０の開口部２１に設けた開封用の易切り破りシート２２に整合させて取り付けられており、蓋部１０は、枠体１に対して開放状態で容器２０の上面に水平に載置されているので、容器２０を開封する際は図６に示すように、容器２０の上面に開放状態にある蓋部１０を、ヒンジ９を介して施蓋方向に回動させ、該蓋部１０の内面に立設した押し板１４を、爪板７の上面に押し当てながら枠体１に施蓋することにより、爪板７の刃先部７ａ側が容器２０の開封用の易切り破りシート２２に突入して、該シート２２を、刃先部７ａによって爪板７の形状に切り破り、容器２０を開封することができる。
【００１２】
本発明の請求項２に係る液体包装容器用口栓は、図２に示すように、側壁１ａから形成される枠体１と、該枠体１の下端内周に沿って所定幅に張り出して設けた底デッキ部２と、該底デッキ部２内周の一辺に支持されたヒンジ５を介して開閉可能に前記枠体１上端以下の低位置に水平に設けた爪板７と、前記枠体１の前記ヒンジ５と平行な１つの側壁外面の中位部に設けたヒンジ９を介して開閉可能に設けられ、天板１１と前記枠体１の各々側壁１ａ上端外面に嵌合して施蓋する側壁１２とから形成される蓋部１０と、該蓋部１０の内面にヒンジ１３を介して起立姿勢と水平姿勢とに姿勢変換可能に立設する押し板１４とからなる液体包装容器用口栓であり、図４に示すように、前記枠体１の下面が液体包装容
器２０の表面に前記爪板７を、該容器２０の開口部２１に設けた開封用の易切り破りシート２２に整合させて取り付けられており、蓋部１０は、押し板１４を水平に倒した状態で、枠体１を施蓋した状態にあるので、容器２０を開封する際は、図４に示すように、一旦、蓋部１０をヒンジ９を介して枠体１から開放方向に回動させ、蓋部１０の内面にある押し板１４をヒンジ１３を介して起立させた後に、図６に示すように、蓋部１０を、ヒンジ９を介して施蓋方向に回動させ、該蓋部１０の内面に起立した押し板１４を、爪板７の上面に押し当てながら枠体１に施蓋することにより、爪板７の刃先部７ａ側が容器２０の開封用の易切り破りシート２２に突入して、該シート２２を、刃先部７ａによって爪板７の形状に切り破り、容器２０を開封することができ、また、蓋板１０の施蓋によって、爪板７を被覆し保護できるので、爪板７に対する押し付け力による不用意な開封を防止することができる。
【００１３】
本発明の請求項３に係る液体包装容器用口栓は、図７に示すように、筒状側壁１ａから形成される枠体１と、該枠体１の下端内周にヒンジ５を介して開閉可能に前記枠体１上端以下の低位置に水平に設けた爪板７と、前記枠体１の筒状側壁１ａ外周面の前記ヒンジ５近傍に延設した連結バンド１５を介して開閉可能に設けられ、天板１１と前記枠体１の各々筒状側壁１ａ上端外面に嵌合して施蓋する筒状側壁１２と、該筒状側壁１２の上端にハーフカット１６を介して切り離し可能に設けた補助リング１７とから形成される蓋部１０と、該蓋部１０の内面に立設する押し板１４とからなる液体包装容器用口栓であり、図８に示すように、前記枠体１の下面が液体包装容器２０の表面に前記爪板７を、該容器２０の開口部２１に設けた開封用の易切り破りシート２２に整合させて取り付けられており、図９に示すように、蓋部１０は、その補助リング１７を前記枠体１の各々筒状側壁１ａ上端外面に嵌合して、枠体１を施蓋した状態にあるので、容器２０を開封する際は、図１１（ａ）に示すように、一旦、蓋部１０を枠体１の筒状側壁１ａから取り外し、蓋部１０の補助リング１７をハーフカット１６にて切り離した後、図１１（ｂ）に示すように、蓋部１０を、その筒状側壁１２を枠体１の各々筒状側壁１ａ上端外面に嵌合して、該蓋部１０の内面に立設した押し板１４を爪板７の上面に押し当てながら、枠体１に施蓋することにより、爪板７の刃先部７ａ側が容器２０の開封用の易切り破りシート２２に突入して、該シート２２を、刃先部７ａによって爪板７の形状に切り破り、容器２０を開封することができ、また、蓋板１０の施蓋によって、爪板７を被覆し保護できるので、爪板７に対する押し付け力による不用意な開封を防止することができる。
【発明を実施するための最良の形態】
【００１４】
本発明の請求項１に係る液体包装容器用口栓の実施の形態を以下に詳細に説明すれば、図１の全体斜視図、及び図３の側断面図、及び図５の平面図に示すように、側壁１ａから形成される略四角形状の枠体１と、該枠体１の下端内周に沿って所定幅に張り出して設けた底デッキ部２（３は、底デッキ部２の内周側の空間領域）と、該底デッキ部２内周の一辺に支持されたヒンジ５を介して開閉可能に前記枠体１上端以下の低位置に水平に設けた爪板７とを備える。
【００１５】
また、前記枠体１には、前記ヒンジ５と平行な１つの側壁１ａ外面の中位部に設けたヒンジ９を介して開閉可能に蓋部１０が設けられている。
【００１６】
該蓋部１０は、天板１１と、前記枠体１の各々側壁１ａ上端外面に嵌合して施蓋する側壁１２とから形成され、該蓋部１０の内面には、押し板１４が立設されている。
【００１７】
図３に示すように、前記枠体１は、その底デッキ部２下面を、容器２０の表面に、前記爪板７を液体包装容器２０の開口部２１に設けた開封用の易切り破りシート２２に整合させて、接着剤（ホットメルト型接着剤など）にて取り付けられている。
【００１８】
上記請求項１に係る液体包装容器用口栓を取り付けた液体包装容器の開封方法を以下に説明すれば、図６に示すように、液体包装容器２０を開封する際は、該容器２０の上面に開放状態にある蓋部１０を、ヒンジ９を介して施蓋方向に回動させ、該蓋部１０の内面に立設した押し板１４を、爪板７の上面に押し当てながら枠体１に施蓋することにより、爪板７の刃先部７ａ側が、容器２０の開封用の易切り破りシート２２に突入して、該シート２２を刃先部７ａによって爪板７の形状に切り破ることにより、容器２０を開封する。
【００１９】
次に、本発明の請求項２に係る液体包装容器用口栓の実施の形態を以下に詳細に説明すれば、図２の全体斜視図、及び図４の側断面図、及び図５の平面図に示すように、上記請求項１に係る発明における蓋部１０の内面に立設した押し板１４が、蓋部１０の天板１１に対してヒンジ１３を介して、起立姿勢と水平姿勢とに姿勢変換可能に設けられているものである。なお、図４に示すように、蓋部１０を枠体１に施蓋した際に、枠体１内の爪板７が蓋部１０の天板１１によって押し下げられないようにするために、蓋部１０の押し板１４の厚さｔ1 と、枠体１内の爪板７の上面と該枠体１に施蓋した後の蓋部１０の天板１１下面との間の間隙ｔ2 とは、少なくともｔ1 ≦ｔ2 に設定することが適当である。
【００２０】
そして、図４側断面図に示すように、前記枠体１は、その底デッキ部２の下面を、液体包装容器２０の表面に、前記爪板７を該容器２０の開口部２１に設けた開封用の易切り破りシート２２に整合させて、接着剤（ホットメルト型接着剤など）にて取り付けられているものである。
【００２１】
上記請求項２に係る液体包装容器用口栓を取り付けた液体包装容器の開封方法を以下に説明すれば、図４に示すように、液体包装容器２０を開封する際は、一旦、蓋部１０をヒンジ９を介して枠体１から開放方向に回動させ、蓋部１０の内面にある押し板１４をヒンジ１３を介して起立させた後に、図６に示すように、蓋部１０を、ヒンジ９を介して施蓋方向に回動させ、該蓋部１０の内面に起立した押し板１４を、爪板７の上面に押し当てながら枠体１に施蓋することにより、爪板７の刃先部７ａ側が容器２０の開封用の易切り破りシート２２に突入して、該シート２２を、刃先部７ａによって爪板７の形状に切り破ることにより容器２０を開封する。
【００２２】
次に、本発明の請求項３に係る液体包装容器用口栓の実施の形態を以下に詳細に説明すれば、図７の全体斜視図、及び図８の側断面図、及び図９の側断面図、及び図１０の平面図に示すように、筒状側壁１ａから形成される枠体１と、該枠体１の下端内周にヒンジ５を介して開閉可能に前記枠体１上端以下の低位置に水平に設けた爪板７とを備える。
【００２３】
また、前記枠体１には、筒状側壁１ａの下端外周に沿って張り出したフランジ板１ｂを設けるようにしてもよい。
【００２４】
前記枠体１には、その筒状側壁１ａ外周面における前記ヒンジ５近傍に、柔軟な曲げ易い連結バンド１５が延設され、該連結バンド１５を介して開閉可能に蓋部１０が設けられている。
【００２５】
蓋部１０は、天板１１と、前記枠体１の各々筒状側壁１ａ上端外面に嵌合して施蓋する筒状側壁１２と、該筒状側壁１２の上端に、ハーフカット１６を介して切り離し可能に補助リング１７が設けられ、該蓋部１０の内面には押し板１４が立設されている。
【００２６】
図８に示すように、前記枠体１は、その筒状側壁１ａの下面（及び必要に応じて設けたフランジ板１ｂの下面）を、液体包装容器２０の表面に、前記爪板７を該容器２０の開口部２１に設けた開封用の易切り破りシート２２に整合させて、接着剤（ホットメルト型接着剤など）にて取り付けられている。
【００２７】
そして、図９に示すように、前記枠体１は、その筒状側壁１ａの外周に蓋部１０の補助リング１７が嵌合して施蓋されている。
【００２８】
上記請求項３に係る液体包装容器用口栓を取り付けた液体包装容器の開封方法を以下に説明すれば、まず、図９に示す枠体１を施蓋している蓋部１０を、図１１（ａ）に示すように、枠体１から取り外して、該蓋部１０の補助リング１７を、ハーフカット１６に沿って切り取り、蓋部１０の筒状側壁１２から切り離す。
【００２９】
続いて、図１１（ｂ）に示すように、補助リング１７を切り離した蓋部１０を、その筒状側壁１２を枠体１の筒状側壁１ａの上端外周に嵌合して施蓋することにより、爪板７の刃先部７ａ側がヒンジ５を介して回転して、容器２０の開封用の易切り破りシート２２に突入し、該刃先部７ａによって、該シート２２を爪板７の形状に切り破り、容器２０を開封することができる。
【図面の簡単な説明】
【００３０】
【図１】本発明の液体包装容器用口栓の一実施例の全体斜視図。
【図２】本発明の液体包装容器用口栓の他の実施例の全体斜視図。
【図３】本発明の液体包装容器用口栓の一実施例の側断面図。
【図４】本発明の液体包装容器用口栓の他の実施例の側断面図。
【図５】本発明の液体包装容器用口栓の平面図。
【図６】本発明の液体包装容器用口栓による開封動作を説明する側断面図。
【図７】本発明の液体包装容器用口栓のその他の実施例の全体斜視図。
【図８】本発明の液体包装容器用口栓のその他の実施例の側断面図。
【図９】本発明の液体包装容器用口栓のその他の実施例の施蓋した状態を説明する側断面図。
【図１０】本発明の液体包装容器用口栓のその他の実施例の平面図。
【図１１】（ａ）は本発明の液体包装容器用口栓のその他の実施例における補助リングを取り除いた状態を説明する側断面図、（ｂ）はその開封動作を説明する側断面図。
【符号の説明】
【００３１】
１…枠体
２…底デッキ部
３…空間領域部
４…支持部
５…ヒンジ
６…回動支持部
７…爪板
８…アーム板
９…ヒンジ
１０…蓋板
１１…連結部
１２…係合部
１３…ヒンジ
１４…押し板
１５…連結バンド
１６…ハーフカット
１７…補助リング
２０…容器
２１…開口部
２２…易切り破りシート
【図１】
2006008179.tif 000003
【図２】
2006008179.tif 000004
【図３】
2006008179.tif 000005
【図４】
2006008179.tif 000006
【図５】
2006008179.tif 000007
【図６】
2006008179.tif 000008
【図７】
2006008179.tif 000009
【図８】
2006008179.tif 000010
【図９】
2006008179.tif 000011
【図１０】
2006008179.tif 000012
【図１１】
2006008179.tif 000013